(57)【要約】【課題】線状物の移動速度を減速させることなく、線状物の表面に付着した水滴をより確実に除去することができる線状物の水滴除去装置及び水滴除去方法を提供する。【解決手段】水滴除去装置Ａは、負圧を発生させるポンプ等の負圧発生部１、負圧発生部１によって発生された負圧により生成されたエアーを線状物Ｗの表面に吹き付けるエアー吹付管２、線状物Ｗの表面に当接して、線状物Ｗに付着した水滴を吸水する吸水部３を有し、負圧発生部１は、吸水部３の当接部材４によって吸水された水分を水分吸水管７を介して負圧吸引する。水分吸水管７には、負圧吸引によって生成されたエアーから水分を除去し、除去されたエアーを負圧発生部１に送出する水分除去部８が設けられている。【選択図】図１
2008249222.tif 000002
【特許請求の範囲】
【請求項１】
軸線方向に沿って移動する線状物に付着した水滴を除去する線状物の水滴除去装置において、
負圧を発生させる負圧発生手段と、
当該負圧発生手段によって発生された負圧により生成されたエアーを前記線状物に吹き付けるエアー吹付手段と、
前記線状物に当接して、前記線状物に付着した水滴を吸水する吸水手段と、
を有し、
前記負圧発生手段は、前記吸水手段によって吸水された水分を負圧吸引する、  ことを特徴とする線状物の水滴除去装置。
【請求項２】
前記負圧吸引によって生成されたエアーから水分を除去し、除去されたエアーを前記負圧発生手段に送出する水分除去手段を有する、
ことを特徴とする線状物の水滴除去装置。
【請求項３】
前記吸水手段は、前記線状物に当接し、吸水性を備えた材質で作られた当接部材と、当該当接部材を前記線状物の移動方向に直交する方向に移動可能に支持する支持部材と、前記当接部材と前記支持部材との間に取り付けられ、前記当接部材を前記線状物側に付勢する付勢部材とを有する、
ことを特徴とする請求項１又は２に記載の線状物の水滴除去装置。
【請求項４】
軸線方向に沿って移動する線状物に付着した水滴を除去する線状物の水滴除去方法において、
負圧を発生させることにより生成されたエアーを前記線状物に吹き付ける工程と、
前記線状物に吸水部を当接して、前記線状物に付着した水滴を吸水する工程と、
前記吸水部によって吸水された水分を負圧吸引する工程と、
を有することを特徴とする線状物の水滴除去方法。
【発明の詳細な説明】
【技術分野】
【０００１】
本発明は、線状物の水滴除去装置及び水滴除去方法に関し、特に、被覆電線等の線状物の製造工程において、水で冷却された線状物に付着した水滴を除去するために適合した線状物の水滴除去装置及び水滴除去方法に関する。
【背景技術】
【０００２】
図３は、被覆電線の製造工程の一例を概略的に示す説明図である。
【０００３】
図３に示すように、被覆電線Ｗ１の製造工程においては、サプライドラム５０から送出された導線５１を図３の左側から右側に軸線方向に沿って移動させ、まず、押出機５２により樹脂等の被覆材料を押し出して、導線５１の表面に被覆層を形成した後、冷却水槽５３を通過させて冷却して、被覆電線Ｗ１を得ている。得られた被覆電線Ｗ１は、スパークテクタ５４により被覆層の絶縁欠陥に関して検査された後、巻取機５５により巻き取られる。
【０００４】
しかし、水で冷却された被覆電線Ｗ１の表面に水滴が付着していると、スパークテクタ５４による検査でのショートによる誤動作に繋がり、正確な検査が困難になり、歩留まりも悪くなる。
【０００５】
そこで、被覆電線Ｗ１に付着した水滴を除去する技術が従来から提案されている。
【０００６】
例えば、特許文献１には、軸線方向に進行する線状物の表面に付着した水滴を減圧吸引により線状物の表面から分離させ、これにより水滴を除去する水滴除去方法が提案されている（以下、この技術を従来例という）。
【特許文献１】特開昭５２−８８８５６号公報
【発明の開示】
【発明が解決しようとする課題】
【０００７】
従来例では、線状物を通常の移動速度で移動させている状態で、線状物の表面に付着した水滴を減圧吸引により線状物の表面から分離させることは困難であり、確実に分離させるためには線状物の移動速度を減速させる必要があるため、作業効率が悪くなるという課題があった。
【０００８】
本発明は、上記課題を解決するためになされたものであり、線状物の移動速度を減速させることなく、線状物の表面に付着した水滴をより確実に除去することができる線状物の水滴除去装置及び水滴除去方法を提供することを目的とする。
【課題を解決するための手段】
【０００９】
本発明の線状物の水滴除去装置は、軸線方向に沿って移動する線状物に付着した水滴を除去する線状物の水滴除去装置において、負圧を発生させる負圧発生手段と、当該負圧発生手段によって発生された負圧により生成されたエアーを前記線状物に吹き付けるエアー吹付手段と、前記線状物に当接して、前記線状物に付着した水滴を吸水する吸水手段とを有し、前記負圧発生手段は、前記吸水手段によって吸水された水分を負圧吸引することを特徴とするものである。
【００１０】
前記負圧吸引によって生成されたエアーから水分を除去し、除去されたエアーを前記負圧発生手段に送出する水分除去手段を有してもよい。
【００１１】
前記吸水手段は、前記線状物に当接し、吸水性を備えた材質で作られた当接部材と、当該当接部材を前記線状物の移動方向に直交する方向に移動可能に支持する支持部材と、前記当接部材と前記支持部材との間に取り付けられ、前記当接部材を前記線状物側に付勢する付勢部材とを有してもよい。
【００１２】
本発明の線状物の水滴除去方法は、軸線方向に沿って移動する線状物に付着した水滴を除去する線状物の水滴除去方法において、負圧を発生させることにより生成されたエアーを前記線状物に吹き付ける工程と、前記線状物に吸水部を当接して、前記線状物に付着した水滴を吸水する工程と、前記吸水部によって吸水された水分を負圧吸引する工程とを有することを特徴とするものである。
【発明の効果】
【００１３】
請求項１及び４に係る発明によれば、エアーの吹き付けと吸水手段による吸水との２回の水滴除去を行うことにより、線状物に付着した水滴をより確実に除去することができる。その結果、スパークテクタ等の検査でショートによる誤動作が生じることがなくなり、正確な検査を行うことができ、歩留まりも向上する。
【００１４】
また、線状物の移動速度を減速させることなく、通常の移動速度で移動させている状態で線状物から水滴を除去することが可能であるので、作業効率が低下することはない。
【００１５】
さらに、吸水手段によって吸水された水分は、負圧発生手段によって負圧吸引されるので、吸水手段を常に乾燥された状態に保つことができ、吸水効率を向上させることができる。
【００１６】
請求項２に係る発明によれば、水分除去手段により水分を除去されたエアーを線状物に吹き付けるエアーとして利用できる。
【００１７】
請求項３に係る発明によれば、付勢部材により当接部材は線状物側に付勢されているので、当接部材をより確実に線状物の表面に押し付けた状態で当接することができ、吸水性を向上させることができる。
【発明を実施するための最良の形態】
【００１８】
以下、本発明の実施の形態について図面を参照して説明する。図１は、本発明の実施形態例に係る線状物の水滴除去装置を概略的に示す説明図である。
【００１９】
本発明の実施形態例に係る線状物の水滴除去装置Ａは、例えば図３の冷却水槽５３等の水で冷却され、軸線方向に沿って移動する線状物Ｗに付着した水滴を除去するために用いられる。
【００２０】
図１に示すように、本発明の実施形態例に係る水滴除去装置Ａは、負圧を発生させるポンプ等の負圧発生部１（負圧発生手段）と、負圧発生部１によって発生された負圧により生成されたエアーを線状物Ｗの表面に吹き付けるエアー吹付管２（エアー吹付手段）と、線状物Ｗの表面に当接して、線状物Ｗに付着した水滴を吸水する吸水部３（吸水手段）とを有する。
【００２１】
吸水部３は、線状物Ｗの表面に当接する当接部材４と、当接部材４を線状物Ｗの移動方向と直交する方向に移動可能に支持する筐体状の支持部材５と、当接部材４と支持部材５との間に取り付けられ、当接部材４を線状物Ｗ側に付勢するバネ等の付勢部材６とを有する。
【００２２】
当接部材４は、線状物Ｗと当接しても線状物Ｗの表面に傷が付かないように軟質で高い吸水性を備えた材質（例えばフェルト等の布）で作られている。また、付勢部材６により当接部材４は線状物Ｗ側に付勢されているので、当接部材４を確実に線状物Ｗの表面に押し付けた状態で当接することができ、吸水性を向上させることができる。
【００２３】
負圧発生部１は、吸水部３の当接部材４によって吸水された水分をチューブ等の水分吸水管７を介して負圧吸引する。
【００２４】
水分吸水管７には、負圧吸引によって生成されたエアーから水分を除去し、除去されたエアーを負圧発生部１に送出する水分除去部８が設けられている。
【００２５】
図２は水分除去部８の一例を示す説明図である。図２に示すように、水分除去部８は、水分を捕集するトラップ容器９と、シリカゲルや活性炭等の吸着剤１４を収容する吸着容器１０と、吸水部３からのエアーをトラップ容器９に送入する送入管部１１と、トラップ容器９から排出されたエアーを吸着容器１０に送入する接続管部１２と、吸着容器１０から排出されたエアーを負圧発生部１に送出する送出管部１３とを有する。
【００２６】
なお、線状物Ｗに付着した水滴を広範囲に除去するために、負圧発生部１、エアー吹付管２、吸水部３、水分吸水管７及び水分除去部８は、線状物Ｗの一方側と他方側とにそれぞれ一対配置されている。
【００２７】
次に、本発明の実施形態例に係る線状物Ｗの水滴除去装置Ａの動作を説明する。
【００２８】
まず、負圧発生部１によって負圧を発生させてエアーを生成する。
【００２９】
次いで、生成されたエアーは、エアー吹付管２によって軸線方向に沿って移動している線状物Ｗの表面に吹き付けられ、線状物Ｗに付着した水滴を吹き飛ばす。
【００３０】
次いで、吸水部３の当接部材４が線状物Ｗに当接して、エアーにより吹き飛ばすことができなかった水滴を吸水する。
【００３１】
次いで、吸水部３の当接部材４によって吸水された水分は、負圧発生部１によって水分吸水管７を介して負圧吸引される。これによって、当接部材４は、常に乾燥された状態に保つことができ、吸水性の低下を防止できる。
【００３２】
その後、負圧発生部１による負圧吸引によって生成されたエアーは水分除去部８により水分を除去された後、線状物Ｗの表面に吹き付けるエアーとして負圧発生部１に送出される。
【００３３】
本発明の実施形態例に係る線状物Ｗの水滴除去装置Ａ及び水滴除去方法によれば、エアーの吹き付けと吸水部３による吸水との２回の水滴除去を行うことにより、線状物Ｗに付着した水滴をより確実に除去することができる。その結果、スパークテクタ等の検査でショートによる誤動作が生じることがなくなり、正確な検査を行うことができ、歩留まりも向上する。
【００３４】
また、線状物Ｗの移動速度を減速させることなく、通常の移動速度で移動させている状態で線状物Ｗから水滴を除去することが可能であるので、作業効率が低下することはない。
【００３５】
さらに、吸水部３によって吸水された水分は、負圧発生部１によって負圧吸引されるので、吸水部３を常に乾燥された状態に保つことができ、吸水効率を向上させることができる。
【００３６】
本発明は、上記実施の形態に限定されることはなく、特許請求の範囲に記載された技術的事項の範囲内において、種々の変更が可能である。
【産業上の利用可能性】
【００３７】
本発明は、例えば被覆電線等の線状物Ｗの製造工程において、水で冷却された線状物Ｗに付着した水滴を除去するために用いられる。
【図面の簡単な説明】
【００３８】
【図１】本発明の実施形態例に係る線状物の水滴除去装置を概略的に示す説明図である。
【図２】水分除去部の一例を示す説明図である。
【図３】被覆電線の製造工程の一例を概略的に示す説明図である。
【符号の説明】
【００３９】
Ａ：水滴除去装置
Ｗ：線状物
１：負圧発生部
２：エアー吹付管
３：吸水部
４：当接部材
５：支持部材
６：付勢部材
７：水分吸水管
８：水分除去部
９：トラップ容器
１０：吸着容器
１１：送入管部
１２：接続管部
１３：送出管部
【図１】
2008249222.tif 000003
【図２】
2008249222.tif 000004
【図３】
2008249222.tif 000005